(57)【要約】【課題】階層構造の選択項目を選択する際の操作を低減する技術を提供する。【解決手段】表示制御装置１０において、受付部２４は、表示部２２から離れた位置にあるタッチ入力部２０に入力された操作情報を受け付ける。処理部２６は、受付部２４が受け付けた操作情報に応じて表示部２２の表示を制御する。受付部２４が、第１階層の複数の第１選択項目の１つにカーソルを配置した状態で選択操作を受け付けると、処理部２６は、第１階層の複数の選択項目を表示させつつ次の第２階層の複数の第２選択項目を表示させるとともに、カーソルを第２選択項目のいずれかに配置して表示させる。【選択図】図２
2019067127.tif 000002
【特許請求の範囲】
【請求項１】
表示部から離れた位置にあるタッチ入力部に入力された操作情報を受け付ける受付部と、
前記受付部が受け付けた操作情報に応じて前記表示部の表示を制御する処理部と、を備え、
前記受付部が、第１階層の複数の第１選択項目の１つにカーソルを配置した状態で選択操作を受け付けると、前記処理部は、第１階層の複数の選択項目を表示させつつ次の第２階層の複数の第２選択項目を表示させるとともに、カーソルを第２選択項目のいずれかに配置して表示させることを特徴とする表示制御装置。
【請求項２】
前記処理部は、第１選択項目に配置したカーソルを第２選択項目に配置して表示させる場合に、並んで表示される複数の第２選択項目のうち端でない位置の第２選択項目にカーソルを配置することを特徴とする請求項１に記載の表示制御装置。
【請求項３】
前記処理部は、カーソルがいずれかの第２選択項目に重なっている状態において、前記受付部が第１階層に戻る操作を受け付けると、前回選択した第１選択項目にカーソルを配置して表示することを特徴とする請求項１または２に記載の表示制御装置。
【発明の詳細な説明】
【技術分野】
【０００１】
本発明は、タッチ入力部に入力された操作情報に応じて表示部の画像表示を制御する表示制御装置に関する。
【背景技術】
【０００２】
特許文献１には、階層化された複数のメニューを表示する車両用表示装置が開示される。この車両用表示装置は、横方向に並んだ第１階層のメニューと、縦方向に並んだ第２階層のメニューとを表示可能なディスプレイと、横方向と縦方向に入力可能な十字キーとを備え、十字キーを横方向に操作して第１階層のメニューの１つが選択されると、第１階層のメニューを表示しつつ、選択された第１階層のメニューに応じた第２階層のメニューを表示させる。
【先行技術文献】
【特許文献】
【０００３】
【特許文献１】特開２０１２−０２２３９３号公報
【発明の概要】
【発明が解決しようとする課題】
【０００４】
特許文献１の技術では、ユーザが第１階層のメニューを選択して第２階層のメニューを表示させた後、カーソルを第１階層のメニューから第２階層のメニューに移動させる操作が必要となる。
【０００５】
本発明はこうした状況に鑑みてなされたものであり、その目的は、階層構造の選択項目を選択する際の操作を簡素化する技術を提供することにある。
【課題を解決するための手段】
【０００６】
上記課題を解決するために、本発明のある態様の表示制御装置は、表示部から離れた位置にあるタッチ入力部に入力された操作情報を受け付ける受付部と、受付部が受け付けた操作情報に応じて表示部の表示を制御する処理部と、を備える。受付部が、第１階層の複数の第１選択項目の１つにカーソルを配置した状態で選択操作を受け付けると、処理部は、第１階層の複数の選択項目を表示させつつ次の第２階層の複数の第２選択項目を表示させるとともに、カーソルを第２選択項目のいずれかに配置して表示させる。
【０００７】
この態様によると、第１選択項目を選択すれば、次の階層である第２選択項目上にカーソルが自動的に移動するため、ユーザが第１選択項目から第２選択項目にカーソルを移動させる操作を減らすことができる。
【０００８】
処理部は、第１選択項目に配置したカーソルを第２選択項目に配置して表示させる場合に、並んで表示される複数の第２選択項目のうち端でない位置の第２選択項目にカーソルを配置してもよい。これにより、第２階層でカーソルを移動させる操作方向が１方向に限定されず、他の第２選択項目に移動させやすい。
【０００９】
処理部は、カーソルがいずれかの第２選択項目に重なっている状態において、受付部が第１階層に戻る操作を受け付けると、前回選択した第１選択項目にカーソルを配置して表示してもよい。これにより、第１階層に戻る操作をした場合に、カーソルを前回選択した第１選択項目に配置されるため、
移動させる操作を減らすことができる。
【発明の効果】
【００１０】
本発明によれば、階層構造の選択項目を選択する際の操作を簡素化する技術を提供できる。
【図面の簡単な説明】
【００１１】
【図１】車両に設けられるタッチ入力部および表示部について説明するための図である。
【図２】表示制御装置の機能構成について説明するための図である。
【図３】階層構造の選択項目を表示する処理について説明するための図である。
【図４】階層構造の選択項目を表示する処理について説明するための図であり、図３からの続きの処理を示す。
【発明を実施するための形態】
【００１２】
図１は、車両に設けられるタッチ入力部２０および表示部２２について説明するための図である。タッチ入力部２０は、運転席と助手席の間のセンターコンソールに設けられ、ユーザのタッチ操作が入力されるタッチパッド型の入力装置である。タッチ入力部２０は、タッチ操作による入力信号を不図示の表示制御装置に出力し、表示制御装置の制御によって表示部２２に画像が表示される。
【００１３】
表示部２２は、タッチ入力部２０から離れた位置のダッシュボードに設けられ、車載機能に応じたアイコンなどを表示する。表示部２２は、運転者が視認しやすいように、タッチ入力部２０より車両前方で高い位置に設けられる。ユーザは、表示部２２を見ながら、センターコンソールに手首を置き、タッチ入力部２０を見ずにタッチ入力部２０にタッチ操作、例えばスライド操作やタップ操作を入力して、車載機能を選択する。なお、タッチ入力部２０には、メニュー画像を呼び出すメニューボタンや前の画像に戻るバックボタンなどの機械式スイッチが設けられてよい。
【００１４】
図２は、表示制御装置１０の機能構成について説明するための図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１５】
表示制御装置１０は、受付部２４および処理部２６を備える。受付部２４は、タッチ入力部２０に入力された操作情報を受け付ける。処理部２６は、受付部２４が受け付けた操作情報に応じて表示部２２の表示を制御する。タッチ入力部２０から出力される操作情報は、タッチの操作の入力位置を示す座標情報と、機械式スイッチの入力情報とを含む。タッチ入力部２０の入力位置は、例えば入力始点をゼロ点として車両前後方向が上下方向、車幅方向が左右方向の座標情報に変換される。
【００１６】
処理部２６は、操作検出部２８、カーソル配置部３０、画像生成部３２および決定部３４を有する。操作検出部２８は、操作情報に示される入力始点（タッチイン）および入力終点（タッチアウト）の軌跡から、操作の種類を判定し、スライド操作である場合にはスライド方向およびスライド量を検出する。操作の種類には、例えばスライド操作、タップ操作、ピンチ操作、長押し操作などがある。
【００１７】
カーソル配置部３０は、操作情報にもとづいて、表示部２２に表示させるカーソルの配置、すなわち画面上のカーソルの位置座標を決定する。カーソル配置部３０は、タッチ入力部２０へのスライド操作に応じて、カーソルを表示部２２の画面上で移動するように配置する。カーソル配置部３０は、タッチ入力部２０のスライド操作量を所定の縦横比で表示部２２でのカーソルの移動量に変換してよい。変換のための所定の縦横比は、タッチ入力部２０と表示部２２の大きさの比率にもとづいて設定されてよい。
【００１８】
決定部３４は、タッチ入力部２０への入力に応じて、すなわち操作検出部２８の検出結果にもとづいてアイコンの機能が選択されたことを決定する。決定部３４は、たとえばカーソルがアイコンに重なった状態でタップ操作がなされた場合に、そのアイコンに設定された車載機能の実行を決定し、決定された車載機能の画像を画像生成部３２が生成する。
【００１９】
画像生成部３２は、タッチ入力部２０への入力に応じて、すなわち操作検出部２８の検出結果、カーソル配置部３０の配置結果および決定部３４の決定結果にもとづいて表示部２２に表示させる画像を生成する。画像生成部３２は、車載機能に応じた画像を不図示のメモリから取り出し、取り出した画像にカーソルを重ねて画像を生成する。カーソル配置部３０は、選択項目を表示部２２に表示する画像で、カーソルを規制なく配置して選択項目の外にも移動可能に配置するが、カーソルを選択項目の外に移動しないように規制して配置してもよい。カーソルが選択項目上に規制されず自由に移動可能である場合、ユーザがカーソルを選択項目に位置合わせしようとした場合に、操作を誤ればカーソルが選択項目を越えてオーバーシュートする可能性がある。
【００２０】
画像生成部３２は、階層構造の選択項目を表示する画像を生成する。階層構造の選択項目は、階層毎に上下方向または左右方向に並んで配置される。
【００２１】
受付部２４が、第１階層の複数の第１選択項目の１つにカーソルを配置した状態で選択操作を受け付けると、画像生成部３２は、第１階層の複数の選択項目を表示させつつ次の第２階層の複数の第２選択項目を表示させるとともに、カーソルを第２選択項目のいずれかに配置して表示させる。つまり、第１階層の複数の第１選択項目の１つにカーソルが重なった状態でタップ操作が入力されると、決定部３４はその第１選択項目が選択されたと決定し、画像生成部３２は、第１階層の第１選択項目の表示を残しつつ、次の第２階層の第２選択項目を表示するとともに、カーソルを自動的に第２階層の第２選択項目に移動させるよう表示する。
【００２２】
これにより、第１選択項目を選択すれば、次の階層である第２選択項目上にカーソルが自動的に移動するため、ユーザが第１選択項目から第２選択項目にカーソルを移動させる操作を減らすことができ、その操作によりカーソルが第２選択項目の外に移動することを抑えることができる。また、運転者がセンターコンソールに手首を置いた状態でタッチ入力部２０に入力する際、車幅方向のスライド操作は手首を動かすため操作しづらいが、車両前後方向のスライド操作は指の動きだけで容易に操作できる。第１選択項目と第２選択項目を左右方向（横方向）に並んで表示する場合に、カーソルを第１選択項目から第２選択項目に自動的に移動させることで、操作しづらい左右方向のスライド操作を減らすことができる。
【００２３】
画像生成部３２は、第１選択項目に配置したカーソルを第２選択項目に自動的に配置して表示させる場合に、並んで表示される複数の第２選択項目のうち端でない位置の第２選択項目にカーソルを配置する。これにより、ユーザが中間にあるカーソルを認識しやすくなり、カーソルの両端に他の第２選択項目が並んでいるため、操作方向が一方向である場合と比べて他の第２選択項目に移動させやすい。
【００２４】
より好ましくは、画像生成部３２は、第１選択項目に配置したカーソルを第２選択項目に自動的に配置して表示させる場合に、上下に並んで表示される複数の第２選択項目のうち上から２番目にある第２選択項目にカーソルを配置する。これにより、上の第２選択項目には１手で移動させることができる。また、センターコンソールに手首を置いた状態では、車両前方より車両後方へのスライド操作がしやすいため、車両後方側の操作によってカーソルを合わせられる第２選択項目を多く配置して、車両前方への細かな操作を不要にして、入力を容易にできる。
【００２５】
画像生成部３２は、カーソルがいずれかの第２選択項目に重なっている状態において、受付部２４が第１選択項目に戻る操作を受け付けると、前回選択した第１選択項目にカーソルを配置して表示する。これにより、カーソルが第２選択項目から前回選択した第１選択項目へ自動的に移動するため、ユーザが第２選択項目から第１選択項目へカーソルを移動させる操作を減らすことができる。
【００２６】
図３は、階層構造の選択項目を表示する処理について説明するための図である。実施例では、音楽再生機能での選択項目の表示処理について説明するが、階層構造の選択項目を有する機能であれば、音楽再生機能に限られない。
【００２７】
図３（ａ）には、第１階層４０の複数の第１選択項目４６ａ，４６ｂ，４６ｃ（これらを区別しない場合、単に「第１選択項目４６」という）が表示部２２の左端に表示され、上下方向（縦方向）に並んで配置される。カーソル５２は上から２番目の第１選択項目４６ｂに配置されており、カーソル５２が配置された第１選択項目４６ｂは、他の第１選択項目４６ａ，４６ｃと比べて少なくとも一部の画素値が異なっており、例えば、第１選択項目４６ａ，４６ｃより輝度を明るく又は暗くして表示される。
【００２８】
カーソル５２が第１選択項目４６ｂに配置された状態でユーザがタップ操作をすると、その第１選択項目４６ｂが選択されて、図３（ｂ）に示す第２階層４２の複数の第２選択項目４８ａ，４８ｂ，４８ｃ，４８ｄ，４８ｅ（これらを区別しない場合、単に「第２選択項目４８」という）が表示される。
【００２９】
カーソル５２が第１選択項目４６ｂに配置された状態で操作検出部２８がタップ操作を検出すると、決定部３４は、第２階層４２の複数の第２選択項目４８を表示することを決定し、カーソル配置部３０は、第２階層４２の第２選択項目４８の一つにカーソル５２を自動的に配置し、画像生成部３２は、決定部３４の決定結果にもとづいて第２階層４２の第２選択項目４８を表示する画像を読み出し、カーソル配置部３０の配置結果にもとづいて第２選択項目４８の上にカーソル５２を配置させた画像を生成する。画像生成部３２が第１選択項目４６ｂに配置していたカーソル５２を、上から２番目にある第２選択項目４８ｂにカーソル５２を自動的に配置することで、ユーザがカーソル５２を第２選択項目４８へ移動させる操作を減らすことができる。
【００３０】
第２階層４２の第２選択項目４８は、第１階層４０の第１選択項目４６の右側に並んで配置され、複数の第２選択項目４８は、上下方向に並んで配置される。第２階層４２の第２選択項目４８を表示しているときに、選択した第１選択項目４６ｂを他の第１選択項目４６ａ，４６ｃと比べて画素値を異ならせて、例えば、輝度を明るく又は暗くして表示する。これにより、過去に選択した第１選択項目４６をユーザに示すことができる。カーソル配置部３０は、過去に選択された選択項目を記憶している。
【００３１】
図３（ｂ）に示すカーソル５２が第２選択項目４８ｂに配置された状態で操作検出部２８がタップ操作を検出すると、決定部３４は、第３階層４４の複数の第３選択項目５０ａ，５０ｂ，５０ｃ，５０ｄ，５０ｅ（これらを区別しない場合、単に「第３選択項目５０」という）を表示することを決定し、カーソル配置部３０は、第３階層４４の第３選択項目５０の一つにカーソル５２を自動的に配置し、図３（ｃ）に示すように画像生成部３２は、決定部３４の決定結果にもとづいて第３階層４４の第３選択項目５０を表示する画像を読み出し、カーソル配置部３０の配置結果にもとづいて第３選択項目５０ｂの上にカーソル５２を配置させた画像を生成して表示させる。
【００３２】
図３（ｃ）には、画像生成部３２が第２選択項目４８ｂに配置していたカーソル５２を、上から２番目にある第３選択項目５０ｂにカーソル５２を自動的に配置することで、ユーザがカーソル５２を第３選択項目５０へ移動させる操作を減らすことができる。第３階層４４の一番上の第３選択項目５０ａには、第３選択項目５０を検索するための項目が表示される。
【００３３】
図４は、階層構造の選択項目を表示する処理について説明するための図であり、図３（ｃ）からの続きの処理を示す。図４（ａ）には、第３階層４４の第３選択項目５０を表示した状態で、ユーザが車両後方のスライド操作をしてカーソル５２を下方に移動させて第３選択項目５０ｆに合わせた様子を示す。
【００３４】
カーソル５２が第３選択項目５０ｆに配置された状態でユーザがタップ操作をすると、図４（ｂ）に示すように、第４階層５４の第４選択項目５６ａ，５６ｂ，５６ｃ，５６ｄ，５６ｅ（これらを区別しない場合、単に「第４選択項目５６」という）が表示される。
【００３５】
カーソル配置部３０は、第３選択項目５０ｆに配置したカーソル５１を、並んで表示される複数の第４選択項目５６のうち上から２番目の第４選択項目５６ｂに配置する。第２階層４２の第２選択項目４８および第３階層４４の第３選択項目５０の表示は継続されるものの、第３選択項目５０が第１階層４０側に位置ずれして第２選択項目４８および第３選択項目５０の横幅が縮小された形で表示される。これにより、過去に選択された階層の選択項目と新たに選択された階層の選択項目をともに表示部２２の幅に収めて表示しつつ、新たに選択された階層の選択項目の表示幅を確保できる。
【００３６】
カーソル５２が第４選択項目５６に配置された状態で、ユーザが前の階層に戻る操作、例えば左方向へのスライド操作またはバックボタンの押下をした場合に、図４（ｃ）に示すように、画像生成部３２は、第３選択項目５０を前面表示し、カーソル５２を前回選択した第３選択項目５０ｆに配置して表示する。つまり、カーソル５２がいずれかの第４選択項目５６に重なっている状態において、受付部２４が第３選択項目５０に戻る操作を受け付けると、画像生成部３２は、前回選択した第３選択項目５０ｆにカーソル５２を配置して表示する。これにより、前回選択した状態から操作を再開できる。
【００３７】
なお実施例はあくまでも例示であり、各構成要素の組合せにいろいろな変形例が可能なこと、またそうした変形例も本発明の範囲にあることは当業者に理解されるところである。
【符号の説明】
【００３８】
１０  表示制御装置、  ２０  タッチ入力部、  ２２  表示部、  ２４  受付部、  ２６  処理部、  ２８  操作検出部、  ３０  カーソル配置部、  ３２  画像生成部、  ３４  決定部。
【図１】
2019067127.tif 000003
【図２】
2019067127.tif 000004
【図３】
2019067127.tif 000005
【図４】
2019067127.tif 000006